(57)【要約】【課題】マットを折り畳みあるいは丸めた状態で目的箇所に投擲可能とすることにより、飛距離を伸ばし、しかも投擲のコントロール性を高める。【解決手段】油吸着マットの外周端縁に沿って吸水膨張性のチューブを取り付けてなる。  これによりマットを不特定形状に丸めて水溶性結束材により結束して投擲することができ、従来品に比べてより一層遠くに投げることができ、しかも投擲方向や投擲距離の適確なコントロールが可能となる。  また油吸着マットを結束する結束材が水溶性であるために、着水後速やかに結束が解かれ、しかも油吸着マットの外周端縁に沿って取りつけた吸水膨張性のチューブが吸水して膨張する結果、油吸着マットが速やかに平坦に復元し、油の吸着を開始することができる。【選択図】図１
2004257068.tif 000002
【特許請求の範囲】
【請求項１】
油吸着マットの外周端縁に沿って吸水膨張性のチューブを取り付けてなることを特徴としたポリマーチューブ式投擲用油吸着マット。
【請求項２】
外周端縁に沿って吸水膨張性のチューブを取り付けてなる油吸着マットを折り畳み或いは丸めたままの状態で水溶性の結束材にて結束してなるポリマーチューブ式投擲用油吸着マット。
【請求項３】
油吸着マットが、重合させた二枚の親油性繊維の間に吸油性粉末ゲル化剤マットを介在させて積層体としたものであるところの請求項１又は請求項２に記載のポリマーチューブ式投擲用油吸着マット。
【請求項４】
油吸着マットが、多数のゲル化剤ポケットを有するとともに、各ゲル化剤ポケット内にはゲル化剤が充填されているものであるところの請求項１又は請求項２に記載のポリマーチューブ式投擲用油吸着マット。
【発明の詳細な説明】
【０００１】
【発明の属する技術分野】
本発明は、例えば河川や湖沼、あるいは海洋に流出した重油その他の油を回収するための油回収材に関し、吸油能力の向上をはかるとともに投擲の安定性および着水後の迅速な復元を可能にし、これによって十分な飛距離の確保、ならびに直線的飛行を可能にして河川敷や湖岸、あるいは船上などからの目的箇所への正確な投擲を可能にし、油回収効率と作業の安全性を向上させることを目的とする。
【０００２】
【従来の技術】
投擲用として従来一般的に汎用されている油吸着材は、不織布などを用いた厚さが４〜５ｍｍ程度の油吸着マットを四角平盤状にして重量を凡そ１００ｇ程度に構成したものが知られている。
【０００３】
【発明が解決しようとする課題】
しかしながら、上記した汎用のものは油の吸着能力が十分ではなく、また水面上において次第に水をも吸着して時間の経過とともに水中に沈降することが多いために、油の回収における作業効率の面において問題があった。  またそればかりでなく、比較的柔軟で保形成に劣るところから、投擲に際して形状が不安定となり、投擲方向や距離のコントロールが難しく、したがって目的箇所への適格な投擲がきわめて困難である。
【０００４】
【課題を解決するための手段】
そこで本発明は、油吸着マットを折り畳み、あるいは丸め、その状態のまま紙紐、や水溶性ポリマーのテープなどの水溶性結束材により結束し、また保管することにより、投擲使用に際して、より遠くに、しかも投擲方向や距離の適確なコントロールを可能にして投げやすくするとともに、着水後速やかな復元を可能にしたものであって、具体的には請求項１の発明は、油吸着マットの外周端縁に沿って吸水膨張性のチューブを取り付けてなることを特徴としたポリマーチューブ式投擲用油吸着マットに関する。
【０００５】
また請求項２の発明は、外周端縁に沿って吸水膨張性のチューブを取り付けてなる油吸着マットを折り畳み或いは丸めたままの状態で水溶性の結束材にて結束してなるポリマーチューブ式投擲用油吸着マットに関する。  さらに請求項３の発明は、油吸着マットが、重合させた二枚の親油性繊維の間に吸油性粉末ゲル化剤マットを介在させて積層体としたものであるところの請求項１又は請求項２に記載のポリマーチューブ式投擲用油吸着マットに関する。  さらに請求項４の発明は、油吸着マットが多数のゲル化剤ポケットを有するとともに、各ゲル化剤ポケット内にはゲル化剤が充填されているものであるところの請求項１又は請求項２に記載のポリマーチューブ式投擲用油吸着マットに関する。
【０００６】
上記の構成において、油吸着マットを折り畳み、あるいは丸めた状態のまま紙紐や水溶性ポリマーのテープなどの水溶性結束材により結束したままの状態において保管し、また使用時においてはそのままの状態において目的箇所に向けて投擲する。  投擲された油吸着マットは目的水面上に落下後、水溶性結束材が水に溶解するとともに、吸水膨張性のチューブが吸水して直線状に膨張し、これに伴って油吸着マットが水面上に平板状に復元展張され、直ちに油の吸着を開始する。
【０００７】
【発明の実施の形態】
以下において、本発明の具体的な内容を図１〜３の実施例をもとに説明すると、図において１は油吸着マット、３は吸水膨張性のチューブを示す。  ここで使用される油吸着マット１は、油を吸収する能力のある材質のものである必要があり、一般的には不織布が用いられ、さらに具体的には一定の厚みを有するポリプロピレン繊維が、ガソリンや灯油、あるいは軽油、Ａ重油などの軽質油類を特に吸着しやすいので好ましい。
【０００８】
油吸着マット１としては、例えば三井化学株式会社の発売する、商品名「タフネルＰＨ−５０」の使用が考えられる。  またこのほかにも、東レファインケミカル株式会社の発売する、商品名「ウォセップ」や、九州フィルター工業株式会社の発売する、商品名「ＫＦＯ」、あるいは米国ナショナルソルベント社の、「ＭＡＸＸＪ−５０」などの使用が考えられる。
【０００９】
またこの場合の油吸着マット１の厚みについては、水面上において流失油をある程度吸着できる程度の厚みを有することが必要であり、そのためには厚さが３ｍｍ以下では油吸着が十分ではなく、少なくとも４ｍｍ以上の厚みを有する必要がある。  しかし厚さが８ｍｍを超えると全体の厚みが厚くなりすぎて投擲に際して障害となることから４ｍｍ〜８ｍｍの範囲内である必要がある。
【００１０】
また油吸着マット１の大きさについても、直径が４５０ｍｍ未満では油吸着が十分ではないばかりでなく、投擲に不向きとなる。  また反対に９００ｍｍを超えると、やはり投擲し難くなるところから直径が４５０ｍｍ以上９００ｍｍ以内である必要がある。
【００１１】
さらに、油吸着マット１には多数のゲル化剤ポケット２が設けられているとともに、各ゲル化剤ポケット２内には吸油性のゲル化剤（図示省略）が充填される。  ここで使用される吸油性粉末ゲル化剤の具体例を挙げれば、ポリスチレンブロック相をポリマーの両端に有するポリスチレン・ポリブタジェンブロックポリマーの、スチレンとブタジェンの構成比が、１つはスチレン：２０（重量）部以下、ブタジェン：８０（重量）部以上、他の１つは、スチレン：４０（重量）部以上、ブタジェン：６０（重量）部以下の構成比を持ち、分子量が共に５×１０４以上の２成分からなる粉末ゲル化剤が使用できる。
【００１２】
またこのほかにも、ポリスチレンブロック相をポリマーの両端に持ち、１つはポリスチレン・ポリブタジェンブロックポリマーの、スチレンとブタジェンの構成比が、スチレン：２０〜４０（重量）部、ブタジェン：６０〜８０（重量）部に、他の１つは、ポリスチレン・ポリエチレン／ブチレンブロックポリマーの、スチレン：２５〜３５（重量）部、エチレン／ブチレン：６５〜７５（重量）部、の構成を持つ２成分からなる粉末ゲル化剤が使用できる。
【００１３】
上記した吸油性粉末ゲル化剤の使用としては、例えば、株式会社アルファジャパンの発売にかかる、商品名「アルファゲルマット」の使用が好ましい。  さらに油吸着マット１として特に図示はしないが、二枚の不織布のような親油性繊維の間に吸油性粉末ゲル化剤マットを介在させて積層体としたものを用いてもよい。
【００１４】
さらに油吸着マット１の外周端縁に沿って取りつけられる吸水膨張性のチューブ３については、吸水して膨張し、折り畳み、あるいは丸められた油吸着マット１を平坦状に復元させることができる材料であればその内容については格別問わないが、具体例を挙げれば直径約５〜１０ミリメートル程度のたとえば不織布のような水透過性のチューブ内に水溶性のポリマー粉末を充填して使用すると、ポリマーが水を吸水した場合に約３０〜５０倍程度に膨張して、折り畳まれ、あるいは丸められた油吸着マット１を平坦に復元させることができる。
【００１５】
さらに、折り畳み、あるいは丸められた油吸着マット１を結束するための水溶性結束材としては、例えば紙紐や紙テープ、又は水溶性ポバールなどのＰＶＡ（ポリビニールアルコール）系のフィルム類、あるいは天然高分子系・半合成高分子系・合成高分子系などの水溶性フィルム類の使用などが考えられる。
【００１６】
本発明は上記の構成において、油吸着マット１を二つ折りあるいは四つ折りに折り畳み、あるいは丸め、その状態のまま紙紐や水溶性ポリマーのテープなどの水溶性結束材（図示省略）により結束し、また結束した状態のまま保管し、使用時にはそのまま水面上の目的箇所に向けて投擲する。  水面上に落下した球状や塊状の油吸着マット１は、水溶性結束材が水に溶解して結束が解かれるとともに、吸水膨張性のチューブ３が吸水して直線状に膨張（図３参照）し、これに伴って油吸着マット１が水面上に平板状に速やかに復元展張される。  水面上に平板状に復元展張された油吸着マット１は油の吸着を開始し、吸着した油は油吸着マット１および多数のゲル化剤ポケット２内のゲル化剤に吸収される。
【００１７】
【発明の効果】
本発明は上記した通り、外周端縁に沿って吸水膨張性のチューブを取り付けた油吸着マットを折り畳み、あるいは球状に丸めたまま水溶性の結束材にて結束してなるポリマーチューブ式投擲用油吸着マットであるために、マットを不特定形状に丸めて水溶性結束材により結束して投擲することができ、従来品に比べてより一層遠くに投げることができ、しかも投擲方向や投擲距離の適確なコントロールが可能となる。
【００１８】
また油吸着マットを結束する結束材が水溶性であるために、着水後速やかに結束が解かれ、しかも油吸着マットの外周端縁に沿って取りつけた吸水膨張性のチューブが吸水して膨張する結果、油吸着マットが速やかに平坦に復元し、油の吸着を開始することができる。
【００１９】
さらに油吸着マットが、重合させた二枚の親油性繊維の間に吸油性粉末ゲル化剤マットを介在させて積層体としたために、ゲル化剤の浮力により、投擲した後水面上において長時間にわたり沈降することがなく、しかも親油性繊維の吸着した過剰な油が吸油性粉末ゲル化剤マットの吸油性粉末ゲル化剤によりゲル化され、油の再流失を防ぐことができる。
【図面の簡単な説明】
【図１】本発明の実施例であるポリマーチューブ式投擲用油吸着マットの平面図。
【図２】図１におけるＡ−Ａ線矢視方向の断面図。
【図３】図２の状態において、吸水膨張性のチューブが吸水して膨張した状態をあらわした断面図。
【符号の説明】
１        油吸着マット
２        ゲル化剤ポケット
３        吸水膨張性のチューブ
【図１】
2004257068.tif 000003
【図２】
2004257068.tif 000004
【図３】
2004257068.tif 000005